(57)【特許請求の範囲】
【請求項１】
無線中継ＴＤＤシステムにおいて干渉を解消する方法であって、
所定の時間長だけ中継局のガード期間を縮小し、前記縮小された所定の時間長を使用することによってデータ受信およびデータ送信を行うステップを含み、
基地局および中継局が全地球測位システムの同期の下にあるとき、
ａ．移動端末から中継局へのアップリンク・サブフレームを送信する時間を前記移動端末に知らせるために使用されるアップリンク・タイミング・アドバンス・シグナリングを、前記中継局が前記移動端末に送信するステップと、
ｂ．前記移動端末が、前記アップリンク・タイミング・アドバンス・シグナリングを前記中継局から受信するステップと、
ｃ．前記移動端末が、前記アップリンク・タイミング・アドバンス・シグナリングに従って所定の時間早く、前記移動端末から前記中継局へのアップリンク・サブフレームを前記中継局に送信するステップとを含む、方法。
【請求項２】
ｄ．前記中継局が、前記所定の時間早く前記移動端末から前記中継局への前記アップリンク・サブフレームを前記移動端末から受信するステップと、
ｅ．前記中継局が、前記移動端末から前記中継局への前記アップリンク・サブフレームを受信し終えた後に、前記中継局から前記基地局へのアップリンク・サブフレームを基地局に送信するステップと、
ｆ．前記基地局が、前記中継局から前記基地局への前記アップリンク・サブフレームを前記中継局から受信するステップとを含む、請求項１に記載の方法。
【請求項３】
無線中継ＴＤＤシステムにおいて干渉を解消する方法であって、
所定の時間長だけ中継局のガード期間を縮小し、前記縮小された所定の時間長を使用することによってデータ受信およびデータ送信を行うステップを含み、
基地局および中継局が、全地球測位システムの同期の下にあって、基地局と中継局との間のデータ伝送および移動端末と中継局との間のデータ伝送が、異なる周波数帯域を使用するとき、
Ａ．前記移動端末から前記中継局へのアップリンク・サブフレームを送信する時間を前記移動端末に知らせるために使用されるアップリンク・タイミング・アドバンス・シグナリングを、前記中継局が前記移動端末に送信するステップと、
Ｂ．前記移動端末が、前記アップリンク・タイミング・アドバンス・シグナリングを前記中継局から受信するステップと、
Ｃ．前記移動端末が、前記アップリンク・タイミング・アドバンス・シグナリングにより所定の時間早く、前記移動端末から前記中継局までの周波数帯域で前記移動端末から前記中継局への前記アップリンク・サブフレームを前記中継局に送信するステップとをさらに含む、方法。
【請求項４】
Ｄ．前記中継局が、前記所定の時間早く前記移動端末から前記中継局までの前記周波数帯域で前記移動端末から前記中継局への前記アップリンク・サブフレームを前記移動端末から受信するステップと、
Ｅ．前記基地局が、前記移動端末から前記中継局までの周波数帯域で、前記基地局から前記中継局へのダウンリンク・サブフレーム中の前記所定の時間長に対応する第１のデータブロックを前記中継局へ送信し、前記基地局から前記中継局までの周波数帯域で、前記基地局から前記中継局への前記ダウンリンク・サブフレーム中の残りの第２のデータブロックを前記中継局へ送信するステップと、
Ｆ．前記中継局が、前記移動端末から前記中継局への前記アップリンク・サブフレームを前記移動端末が前もって送信し終えた後に空いた状態になる時間周波数リソースに、前記基地局から前記第１のデータブロックを受信し、前記基地局から前記中継局までの周波数帯域で、前記基地局から前記第２のデータブロックを受信するステップとをさらに含む、請求項３に記載の方法。
【請求項５】
無線中継ＴＤＤシステムにおいて干渉を解消する方法であって、
所定の時間長だけ中継局のガード期間を縮小し、前記縮小された所定の時間長を使用することによってデータ受信およびデータ送信を行うステップを含み、
基地局および中継局が、全地球測位システムの同期の下にあって、基地局と中継局との間のデータ伝送および移動端末と中継局との間のデータ伝送が、同じ周波数帯域を使用するとき、
ｉ．前記基地局が、前記基地局から前記中継局へのダウンリンク・サブフレーム中の前記所定の時間長に対応する第１のデータブロックを、特別なサブフレームのガード期間内で、前記基地局から前記中継局までの周波数帯域によって前記中継局に送信するステップと、
ｉｉ．前記中継局が、前記特別なサブフレームの前記ガード期間内で前記基地局から前記第１のデータブロックを受信するステップとをさらに含む、方法。
【請求項６】
無線中継ＴＤＤシステムにおいて干渉を解消する方法であって、
所定の時間長だけ中継局のガード期間を縮小し、前記縮小された所定の時間長を使用することによってデータ受信およびデータ送信を行うステップを含み、
基地局および中継局が、エア・インタフェースの同期の下にあって、基地局と中継局との間のデータ伝送および移動端末と中継局との間のデータ伝送が、異なる周波数帯域を使用するとき、
Ｉ．前記移動端末から前記中継局へのアップリンク・サブフレームを送信する時間を前記移動端末に知らせるために使用されるアップリンク・タイミング・アドバンス・シグナリングを、前記中継局が前記移動端末に送信するステップと、
ＩＩ．前記移動端末が、前記アップリンク・タイミング・アドバンス・シグナリングを前記中継局から受信するステップと、
ＩＩＩ．前記移動端末が、前記アップリンク・タイミング・アドバンス・シグナリングにより所定の時間早く、前記移動端末から前記中継局への前記アップリンク・サブフレームを前記中継局に送信するステップとをさらに含む、方法。
【請求項７】
ＩＶ．前記中継局が、前記所定の時間早く前記移動端末から前記中継局への前記アップリンク・サブフレームを前記移動端末から受信するステップと、
Ｖ．前記移動端末から前記中継局への前記アップリンク・サブフレームを受信し終えた後に、前記中継局が、前記移動端末から前記中継局への前記アップリンク・サブフレームを前記移動端末が前もって送信し終えた後に空いた状態になる時間周波数リソースで前記中継局から前記基地局へのアップリンク・サブフレーム中の前記所定の時間長に対応する第１のデータブロックを前記基地局に送信し、同時に、前記中継局から前記基地局への前記アップリンク・サブフレーム中の残りの第２のデータブロックを、所定の時間早く前記中継局から前記基地局までの周波数帯域で、前記基地局に送信するステップと、
ＶＩ．前記基地局が、前記移動端末から前記中継局までの周波数帯域で、前記中継局から前記第１のデータブロックを受信し、前記中継局から前記基地局までの前記周波数帯域で前記中継局から前記第２のデータブロックを受信するステップとをさらに含む、請求項６に記載の方法。
【請求項８】
前記第１のデータブロックがチャネル推定のための基準シンボルを含む、請求項４乃至７のいずれか１項に記載の方法。
【請求項９】
前記所定の時間が前記ガード期間の半分である、請求項１乃至７のいずれか１項に記載の方法。
【請求項１０】
無線中継ＴＤＤシステムの中継局において干渉を解消する方法であって、所定の時間長だけ中継局の前記ガード期間を縮小し、前記縮小された所定の時間長を使用してデータ受信およびデータ送信を行うステップを含み、
基地局および中継局が全地球測位システムの同期の下にあるとき、
ｍ．移動端末から中継局へのアップリンク・サブフレームを送信する時間を前記移動端末に知らせるために使用されるアップリンク・タイミング・アドバンス・シグナリングを、前記移動端末に送信するステップと、
ｎ．前記所定の時間早く前記移動端末から前記中継局への前記アップリンク・サブフレームを前記移動端末から受信するステップと、
ｏ．前記移動端末から前記中継局への前記アップリンク・サブフレームを受信した後に、前記中継局から前記基地局へのアップリンク・サブフレームを前記基地局に送信するステップとを含む、方法。
【請求項１１】
無線中継ＴＤＤシステムの中継局において干渉を解消する方法であって、所定の時間長だけ中継局の前記ガード期間を縮小し、前記縮小された所定の時間長を使用してデータ受信およびデータ送信を行うステップを含み、
基地局および中継局が、全地球測位システムの同期の下にあって、基地局と中継局との間のデータ伝送および移動端末と中継局との間のデータ伝送が、異なる周波数帯域を使用するとき、
Ｍ．前記移動端末から前記中継局へのアップリンク・サブフレームを送信する時間を前記移動端末に知らせるために使用されるアップリンク・タイミング・アドバンス・シグナリングを、前記移動端末に送信するステップと、
Ｎ．前記所定の時間早く前記移動端末から前記中継局までの周波数帯域で前記移動端末から前記中継局への前記アップリンク・サブフレームを前記移動端末から受信するステップと、
Ｏ．前記移動端末が前記移動端末から前記中継局までの前記アップリンク・サブフレームを前もって送信し終えた後に空いた状態になる時間周波数リソースに、前記基地局から第１のデータブロックを受信し、前記基地局から前記中継局までの周波数帯域で前記基地局から第２のデータブロックを受信するステップとをさらに含む、方法。
【請求項１２】
無線中継ＴＤＤシステムの中継局において干渉を解消する方法であって、所定の時間長だけ中継局の前記ガード期間を縮小し、前記縮小された所定の時間長を使用してデータ受信およびデータ送信を行うステップを含み、
基地局および中継局が、全地球測位システムの同期の下にあって、基地局と中継局との間のデータ伝送および移動端末と中継局との間のデータ伝送が、同じ周波数帯域を使用し、
ｘ．特別なサブフレームの前記ガード期間内で前記基地局から第１のデータブロックを受信するステップをさらに含む、方法。
【請求項１３】
無線中継ＴＤＤシステムの中継局において干渉を解消する方法であって、所定の時間長だけ中継局の前記ガード期間を縮小し、前記縮小された所定の時間長を使用してデータ受信およびデータ送信を行うステップを含み、
基地局および中継局が、エア・インタフェースの同期の下にあって、基地局と中継局との間のデータ伝送および移動端末と中継局との間のデータ伝送が、異なる周波数帯域を使用するとき、
Ｘ．前記移動端末から前記中継局へのアップリンク・サブフレームを送信する時間を前記移動端末に知らせるために使用されるアップリンク・タイミング・アドバンス・シグナリングを、前記移動端末に送信するステップと、
Ｙ．前記所定の時間早く前記移動端末から前記中継局への前記アップリンク・サブフレームを前記移動端末から受信するステップと、
Ｚ．前記移動端末から前記中継局への前記アップリンク・サブフレームを受信し終えた後に、前記移動端末が前記移動端末から前記中継局への前記アップリンク・サブフレームを前もって送信し終えた後に空いた状態になる時間周波数リソースで、前記中継局から前記基地局へのアップリンク・サブフレーム中の前記所定の時間長に対応する第１のデータブロックを前記基地局に送信し、同時に、前記所定の時間早く前記中継局から前記基地局までの周波数帯域で前記中継局から前記基地局への前記アップリンク・サブフレーム中の残りの第２のデータブロックを前記基地局に送信するステップとをさらに含む、方法。
【請求項１４】
中継局が無線中継ＴＤＤシステムの基地局において干渉を解消するのを支援する方法であって、請求項１０乃至１３のいずれか１項に記載の方法を使用してデータの送受信を行う前記中継局を支援するステップを含む、方法。
【請求項１５】
基地局および中継局が、全地球測位システムの同期の下にあって、基地局と中継局との間のデータ伝送および移動端末と中継局との間のデータ伝送が、異なる周波数帯域を使用するとき、
Ｓ．前記移動端末から前記中継局までの周波数帯域で前記基地局から前記中継局へのダウンリンク・サブフレーム中の前記所定の時間長に対応する第１のデータブロックを前記中継局に送信し、前記基地局から前記中継局までの周波数帯域で前記基地局から前記中継局への前記ダウンリンク・サブフレーム中の残りの第２のデータブロックを前記中継局に送信するステップをさらに含む、請求項１４に記載の方法。
【請求項１６】
基地局および中継局が、全地球測位システムの同期の下にあって、基地局と中継局との間のデータ伝送および移動端末と中継局との間のデータ伝送が、同じ周波数帯域を使用するとき、
ｓ．前記基地局から前記中継局へのダウンリンク・サブフレーム中の前記所定の時間長に対応する第１のデータブロックを、特別なサブフレームの前記ガード期間内で、前記基地局から前記中継局までの周波数帯域によって前記中継局に送信するステップをさらに含む、請求項１４に記載の方法。
【請求項１７】
基地局および中継局が、エア・インタフェースの同期の下にあって、基地局と中継局との間のデータ伝送および移動端末と中継局との間のデータ伝送が、異なる周波数帯域を使用するとき、
ｕ．前記移動端末から前記中継局までの周波数帯域で前記中継局から第１のデータブロックを受信し、前記中継局から前記基地局までの周波数帯域で前記中継局から第２のデータブロックを受信するステップをさらに含む、請求項１４に記載の方法。
【発明の詳細な説明】
【技術分野】
【０００１】
本発明は、無線中継ＴＤＤ（時分割複信）システムに関し、特に、無線中継ＴＤＤシステムにおける中継局（ＲＳ）、基地局（ＢＳ）、および移動端末（ＭＴ）に関する。
【背景技術】
【０００２】
現在、ＲＳ（Ｒｅｌａｙ  Ｓｔａｔｉｏｎ、中継局）は、ネットワークのカバレッジを拡大し、伝送効率を高めるために、ＩＭＴ−Ａｄｖａｎｃｅｄシステムを導入している。３ＧＰＰ  Ｒ１−０９０６６５および３ＧＰＰ  Ｒ１−０９０７３４では、異なるサブキャリアでＲＳの双方向送受信を実施することの可能性が提言されている。しかし、ＲＳが双方向通信を実施するという提案を採用できるかどうかにかかわらず、ＲＳがどのようにして送信／受信または受信／送信の切り替えポイントにおいてＭＴ（Ｍｏｂｉｌｅ  Ｔｅｒｍｉｎａｌ、移動端末）およびｅＮＢ（ｅｖｏｌｖｅｄ  Ｎｏｄｅ  Ｂ）との同期要件を同時に満たすかは、解決されるべき緊急の問題である。
【０００３】
従来の技術では、ｅＮＢおよびＲＳは、２種類の同期、すなわちＧＰＳ（Ｇｌｏｂａｌ  Ｐｏｓｉｔｉｏｎｉｎｇ  Ｓｙｓｔｅｍ、全地球測位システム）およびＡＩ（Ａｉｒ  Ｉｎｔｅｒｆａｃｅ、エア・インタフェース）を使用することができる。図１および図２は、それぞれＧＰＳの同期およびＡＩの同期の下で発生したｅＮＢおよびＲＳの干渉問題の概略図を示している。図１および図２では、一例として、一般性を損なわずに、３ＧＰＰ  ＴＳ３６．２１１、ｖ８．５．０で提案される構成１のフレーム構造を採用することによって干渉問題を説明するが、ＴＤＤシステムにおける他のフレーム構造も同様に同じ干渉問題を有することに注意されたい。
【０００４】
図１および図２に関しては、第３のサブフレームはＲＳからｅＮＢへのバックホールであり、第８のサブフレームはｅＮＢからＲＳへのバックホールであると仮定する。ここでは第８のサブフレームは、「盗用されるＵＬ（ｓｔｏｌｅｎ  ＵＬ）」であり、すなわちＴＤＤシステムで定義されたフレーム構造では、第８のサブフレームはもともとアップリンクのサブフレームであるべきであるが、現在ダウンリンクのサブフレームとして使用されている。ここでは第８のサブフレームがダウンリンクのサブフレームとして動作しているのは、単に同じフレームで発生する可能性のある諸問題のすべてを具体化するためであることに注意されたい。実際の応用では、第８のサブフレームは、従前通りアップリンクのサブフレームとして動作することができる。
【０００５】
通常、ｅＮＢとＲＳとの間の距離は比較的長いので、ｅＮＢとＲＳとの間のデータ伝送には伝送遅延が生じることになる。ｅＮＢとＲＳとの間の距離がｒであると仮定すると、ｅＮＢとＲＳとの間の伝送遅延は、ｃが光速であるとき、ｒ／ｃである。ＭＴとＲＳとの間の伝送遅延は、ＭＴとＲＳとの間の距離が比較的短いので無視することができる。
【０００６】
図１に示すように、ＲＳについては、ＭＴから第２のサブフレームを受信し終えて初めて、ｅＮＢに第３のサブフレームを送信することができる。ＲＳからｅＮＢまでの伝送遅延があるので、ｅＮＢは、ＲＳから第３のサブフレームを完全に受信し終える前に、ＲＳに第４のサブフレームを送信しなければならない。したがって、ｅＮＢは、ＲＳから第３のサブフレームの一部を受信することしかできず、他のデータの受信を断念しなければならない。ｅＮＢが受信を断念するデータの長さ（すなわちＲＳからｅＮＢまでの遅延）が、ＣＰ（Ｃｙｃｌｉｃ  Ｐｒｅｆｉｘ、サイクリック・プレフィックス）より大きい場合、ｅＮＢは、ＲＳからの第３のサブフレームの内容を完全に回復することができない。
【０００７】
同様に、ｅＮＢからＲＳまでの伝送遅延により、ＲＳは、ｅＮＢから第８のサブフレームを完全に受信し終える前に、ＭＴに第９のサブフレームを送信しなければならない。したがって、ＲＳは、ｅＮＢから第８のサブフレームのデータの一部を受信することしかできず、他のデータの受信を断念しなければならないので、このためにＲＳは、ｅＮＢからの第８のサブフレームの内容を完全に回復することができない可能性がある。
【０００８】
図２では、ｅＮＢおよびＲＳはＡＩの同期の下にあるので、第８のサブフレームと第９のサブフレームとの間に干渉問題はないが、図２からわかるように、第３のサブフレームと第４のサブフレームとの間の干渉問題は、ＧＰＳの同期の下の干渉問題よりも深刻である。
【発明の概要】
【発明が解決しようとする課題】
【０００９】
従来技術の前述の不利な点を解決するために、本発明は、特に、中継局のＧＰ（Ｇｕａｒｄ  Ｐｅｒｉｏｄ、ガード期間）を所定の時間長だけ縮小することによって、ならびに縮小された所定の時間長を使用することによるデータ受信およびデータ送信を行うことによって、無線中継ＴＤＤシステムにおいて干渉を解消するための方法および装置を提案し、ｅＮＢとＲＳとの間の非同期によって起こる干渉が回避される。
【課題を解決するための手段】
【００１０】
本発明の第１の態様によれば、無線中継ＴＤＤシステムにおいて干渉を解消する方法が提供され、この方法は、所定の時間長だけ中継局のＧＰを縮小するステップと、縮小された所定の時間長を使用することによりデータ受信およびデータ送信を行うステップとを含む。
【００１１】
本発明の第２の態様によれば、無線中継ＴＤＤシステムの中継局において干渉を解消する方法が提供され、この方法は、所定の時間長だけ中継局のＧＰを縮小するステップと、縮小された所定の時間長を使用することによりデータ受信およびデータ送信を行うステップとを含む。
【００１２】
本発明の第３の態様によれば、無線中継ＴＤＤシステムの基地局において干渉を解消するために中継局を支援する方法が提供され、この方法は、前述の第２の態様による方法を使用してデータの送受信を行う中継局を支援するステップを含む。
【００１３】
本発明の第４の態様によれば、無線中継ＴＤＤシステムにおいて干渉を解消するための干渉解消装置が提供され、この干渉解消装置は、中継局のＧＰを所定の時間長だけ縮小し、縮小された所定の時間長を使用することによってデータ受信およびデータ送信を行うために使用される。
【００１４】
本発明の第５の態様によれば、無線中継ＴＤＤシステムの基地局において干渉を解消するために中継局を支援するための干渉解消支援装置が提供され、この干渉解消支援装置は、前述の第４の態様による干渉解消装置を使用してデータの送受信を行う中継局を支援するために使用される。
【００１５】
本発明の技術的な解決法を使用することによって、ｅＮＢとＲＳとの間の非同期により起こる干渉を回避することができる。
【００１６】
添付の図面を参照して、限定されない諸実施形態の詳細な説明を読むことにより、本発明の他の特徴、目的、および利点が明らかになるであろう。
【図面の簡単な説明】
【００１７】
【図１】従来技術のＧＰＳの同期の下で発生したｅＮＢとＲＳの干渉問題の概略図である。
【図２】従来技術のＡＩの同期の下で発生したｅＮＢとＲＳの干渉問題の概略図である。
【図３】本発明の第１の実施形態により、ｅＮＢおよびＲＳがＧＰＳの同期の下にあるとき、ＧＰの長さを縮小することによって干渉を解消するフレーム構造の概略図である。
【図４】本発明の第１の実施形態により、ｅＮＢおよびＲＳがＧＰＳの同期の下にあるとき、ＧＰの長さを縮小することによって干渉を解消するシステム法のフローチャートである。
【図５】本発明の第２の実施形態により、ｅＮＢおよびＲＳがＧＰＳの同期の下にあるとき、ＧＰの長さを縮小することによって干渉を解消するフレーム構造の概略図である。
【図６】本発明の第２の実施形態により、ｅＮＢおよびＲＳがＧＰＳの同期の下にあるとき、ＧＰの長さを縮小することによって干渉を解消するシステム法のフローチャートである。
【図７】本発明の第３の実施形態により、ｅＮＢおよびＲＳがＧＰＳの同期の下にあるとき、データ伝送のためにＧＰのリソースを占有することによって干渉を解消するフレーム構造の概略図である。
【図８】本発明の第３の実施形態により、ｅＮＢおよびＲＳがＧＰＳの同期の下にあるとき、データ伝送のためにＧＰのリソースを占有することによって干渉を解消するシステム法のフローチャートである。
【図９】本発明の第４の実施形態により、ｅＮＢおよびＲＳがＡＩの同期の下にあるとき、ＧＰの長さを縮小することによって干渉を解消するフレーム構造の概略図である。
【図１０】本発明の第４の実施形態により、ｅＮＢおよびＲＳがＡＩの同期の下にあるとき、ＧＰの長さを縮小することによって干渉を解消するシステム法のフローチャートである。
【図１１】本発明の第５の実施形態により、ｅＮＢおよびＲＳがＧＰＳの同期の下にあるとき、ＧＰの長さを縮小することによって干渉を解消するシステム構造のブロック図である。
【図１２】本発明の第６の実施形態により、ｅＮＢおよびＲＳがＧＰＳの同期の下にあるとき、ＧＰの長さを縮小することによって干渉を解消するシステム構造のブロック図である。
【図１３】本発明の第７の実施形態により、ｅＮＢおよびＲＳがＧＰＳの同期の下にあるとき、データ伝送のためにＧＰのリソースを占有することによって干渉を解消するシステム構造のブロック図である。
【図１４】本発明の第８の実施形態により、ｅＮＢおよびＲＳがＡＩの同期の下にあるとき、ＧＰの長さを縮小することによって干渉を解消するシステム構造のブロック図である。
【発明を実施するための形態】
【００１８】
図中では、同じまたは同様の参照符合は、同じまたは同様の構成要素を指す。
【００１９】
以下では、図面を参照して本発明について詳細に説明する。
【００２０】
通常、ＲＳのセルはｅＮＢのセルよりも小さいので、ＲＳはｅＮＢと比べてより短いＧＰを使用することが可能である。
【００２１】
好ましくは、ＲＳのＧＰは、ｅＮＢのＧＰの半分とすることができる。たとえＲＳがｅＮＢのＧＰの半分しか使用しなくても、ＧＰの半分は以下を意味することから、ＲＳには十分である：
１）ＲＳのセルの半径は、少なくとも１０ｋｍである。
２）ＲＳの伝送電力は、ｅＮＢ伝送電力よりも低くわずか６ｄＢ程度である。
３）ＲＳがｅＮＢとセル・エッジとの中央位置に配置される場合、ＲＳのセルは、ｅＮＢからセル・エッジまでをカバーすることができる。
４）ＲＳがセル・エッジに配置される場合、ＲＳのセルは、ｅＮＢとＲＳとの間の中間点をカバーすることができる。
【００２２】
正確には、ＲＳのＧＰは、ｅＮＢのＧＰの半分よりも小さい値まで縮小することができるが、これは本発明の技術的な解決法の本質に影響を与えることはない。
【００２３】
以下に、例としてＲＳのＧＰをｅＮＢのＧＰの半分に縮小することを例として採用して、本発明の技術的な解決法を説明する。
【００２４】
同時に、以下では、ｅＮＢとＲＳとの間の伝送遅延の大きさがｅＮＢのＧＰの大きさの半分に等しいこと（すなわち、ｅＮＢとＲＳとの間の伝送遅延の大きさがＲＳの縮小されたＧＰの大きさ、ＧＰ／２に等しいこと）を例として採用して、本発明を説明する。
【００２５】
実施形態１
この実施形態は、ｅＮＢ２およびＲＳ１がＧＰＳの同期の下にあり、ＲＳ１は、ＭＴ０から第２のサブフレームを受信し終えた後に、ｅＮＢ２に第３のサブフレームを送信するというシナリオ用である。
【００２６】
図３は、本発明の第１の実施形態により、ｅＮＢおよびＲＳがＧＰＳの同期の下にあるとき、ＧＰの長さを縮小することによって干渉を解消するフレーム構造の概略図を示す。
【００２７】
図４は、本発明の第１の実施形態により、ｅＮＢおよびＲＳがＧＰＳの同期の下にあるとき、ＧＰの長さを縮小することによって干渉を解消する方法のフローチャートを示す。
【００２８】
図３では、第０のサブフレームはダウンリンクのサブフレームであり、第１のサブフレームは特別なサブフレームであり、第２のサブフレームはアップリンクのサブフレームであり、第３のサブフレームはアップリンクのサブフレームであり、第４のサブフレームはダウンリンクのサブフレームである。ここでは、第２のサブフレーム中のＤｗ（ＤｗＰＴＳ）は、ダウンリンクの同期タイムスロットであり、Ｇ（ＧＰ）はガード期間であり、Ｕｐ（ＵｐＰＴＳ）はアップリンクの同期タイムスロットである。
【００２９】
図２を図３と比較すると、この実施形態ではＲＳ１のＧＰをｅＮＢ２のＧＰの半分に縮小することによって、ｅＮＢ３は、ＲＳから第３のサブフレームを完全に受信し終えた後に、第４のサブフレームを送信し始めることができると理解することができる。
【００３０】
ＭＴ０が起動した後、まずセルとのダウンリンク同期が確立されるべきであり、その後アップリンク同期を確立し始めることができる。どのようにＭＴ０がダウンリンク同期を確立するかは従来技術であって当業者はこれを理解するはずであり、簡略化するためにこれについては詳細を述べない。
【００３１】
本発明では、ＭＴ０がＲＳ１とアップリンク同期を確立するプロセスは、従来技術のものと同様であり、唯一の違いは、ＭＴ０がアップリンク同期コードをＲＳ１に送信した後に、ＲＳ１によってＭＴ０にフィードバックされるアップリンク・タイミング・アドバンス・シグナリングの中に含まれるタイミング・アドバンスの情報が変わるということ、すなわち、ＲＳ１が元来のＧＰ／２タイミング・アドバンスを元来のタイミング・アドバンスに追加するということである。言い換えれば、ＭＴ０がアップリンク・サブフレームを送信し始める時は、元来のタイミング・アドバンスが示す時よりもＧＰ／２だけ早くなる。
【００３２】
具体的には、ＭＴ０がランダム・アクセスを行うとき、ＭＴ０はまず、ＵｐＲＴＳタイムスロットでＲＳ１にアップリンク同期コードを送信する。ＲＳ１がＭＴ０からアップリンク同期コードを受信した後、ＲＳ１はステップ１１において、アップリンク・タイミング・アドバンス・シグナリングをＭＴ０に送信する。ここでは、アップリンク・タイミング・アドバンス・シグナリングは、タイミング・アドバンスの情報を含み、本発明では、タイミング・アドバンスの情報は、元来のタイミング・アドバンスにＧＰ／２タイミング・アドバンスを加えたものに等しい。次いで、ステップＳ１２において、ＭＴ０はＲＳ１からアップリンク・タイミング・アドバンス・シグナリングを受信し、このアップリンク・タイミング・アドバンス・シグナリングに含まれるタイミング・アドバンスの情報によりＲＳ１とアップリンク同期を達成するめにＭＴ０がアップリンク・サブフレームをいつ送信すべきかを知ることができる。
【００３３】
ステップＳ１３においてＲＳ１がＧＰ／２タイミング・アドバンスを元来のタイミング・アドバンスに加えるので、ＭＴ０は、第２のサブフレームの元来の送信時間よりもＧＰ／２だけ早くＲＳ１に第２のサブフレーム（すなわち、ＭＴ０からＲＳ１へのアップリンク・サブフレーム）を送信する。
【００３４】
次いで、ステップＳ１４では、ＲＳ１が、元来の受信時間よりもＧＰ／２だけ早く、ＭＴ０から第２のサブフレームを受信し始める。ＭＴ０はＧＰ／２だけ早い時間にＲＳ１へ第２のサブフレームを送信し始めるので、ＲＳ１は、ＧＰ／２だけ早い時間にＭＴ０から第２のサブフレームを受信し終える。
【００３５】
ＲＳ１はＧＰ／２だけ早い時間に第２のサブフレームを受信し終えるので、それに応じてステップＳ１５においてＲＳ１は、ＧＰ／２だけ早い時間にｅＮＢ２へ第３のサブフレーム（すなわち、ＲＳ１からｅＮＢ２へのアップリンク・サブフレーム）を送信し始める。
【００３６】
その後、ステップＳ１６において、ｅＮＢ２はＲＳ１から第３のサブフレームを受信する。
【００３７】
ＲＳ１からｅＮＢ２への伝送遅延がＧＰ／２であって、ＲＳ１が元来の送信時間よりもＧＰ／２だけ早く第３のサブフレームを送信することを考慮すると、図３に示すように、ｅＮＢ２はＲＳ１から第３のサブフレームを完全に受信し終えた後に、第４のサブフレームをＲＳ１に送信し始め、したがってｅＮＢ２の第３のサブフレームの受信および第４のサブフレームの送信は干渉を起こすことはない。
【００３８】
正確には、ＲＳ１はｅＮＢ２に第３のサブフレームを送信しながら、他の周波数帯域を使用してさらにＭＴ０にダウンリンク・データを送信する。
【００３９】
実施形態２
この実施形態は、ｅＮＢ２およびＲＳ１がＧＰＳの同期の下にあり、ＲＳ１が、ｅＮＢ２から第８のサブフレームを受信し終えた後に、ＭＴ０に第９のサブフレームを送信するというシナリオ用である。またこの実施形態では、ｅＮＢ２とＲＳ１との間のデータ伝送で占有される周波数帯域は、ＭＴ０とＲＳ１とのデータ伝送で占有される周波数帯域とは異なる。
【００４０】
図５は、本発明の第２の実施形態により、ｅＮＢおよびＲＳがＧＰＳの同期の下にあるとき、ＧＰの長さを縮小することによって干渉を解消するフレーム構造の概略図を示す。
【００４１】
図６は、本発明の第２の実施形態により、ｅＮＢおよびＲＳがＧＰＳの同期の下にあるとき、ＧＰの長さを縮小することによって干渉を解消する方法のフローチャートを示す。
【００４２】
簡略化するために、ｅＮＢ２とＲＳ１との間のデータ伝送に使用される周波数帯域は、ｅＮＢ２からＲＳ１までの周波数帯域と呼び、ＭＴ０とＲＳ１との間のデータ伝送に使用される周波数帯域は、ＭＴ０からＲＳ１までの周波数帯域と呼ぶ。
【００４３】
実施形態１と同様に、ＭＴ０がＲＳ１からアップリンク・タイミング・アドバンス・シグナリングを受信した後に（それぞれ図６のステップＳ２１およびステップＳ２２に対応）、ステップＳ２３において、ＭＴ０が、ＧＰ／２だけ早い時間にＭＴ０からＲＳ１までの周波数帯域（図５では
【００４４】
【数１】
0005357984.tif 000002
で示す）でＲＳ１にアップリンク・データを送信する。ＭＴ０はＧＰ／２だけ早い時間にＲＳ１にアップリンク・データを送信するので、それに応じてステップＳ２４では、ＲＳ１は、ＧＰ／２だけ早い時間にＭＴ０からＲＳ１までの周波数帯域でＭＴ０からアップリンク・データを受信する。
【００４５】
同時に、ＭＴ０はＧＰ／２だけ早い時間にＲＳ１にアップリンク・データを送信し終えるので、アップリンク・データを送信するためのＭＴ０の時間・周波数リソースの一部は空いた状態になる。
【００４６】
時間・周波数リソースのこの部分が空いた状態になるので、ステップＳ２５において、ｅＮＢ２は、ＭＴ０からＲＳ１までの周波数帯域で第８のサブフレーム中のＧＰ／２の時間長に対応する第１のデータブロックをＲＳ１に送信し、ｅＮＢ２からＲＳ１までの周波数帯域（図５では
【００４７】
【数２】
0005357984.tif 000003
で示す）で第８のサブフレーム中の残りの第２のデータブロックをＲＳ１に送信する。
【００４８】
好ましくは、第８のサブフレームから切り取られた第１のデータブロックは、基準シンボルを含み、ＲＳ１が第１のデータブロックを受信した後に、ＭＴ０からＲＳ１へのチャネル状態を推定することができるようにする。正確には、第８のサブフレームから切り取られた第１のデータブロックが、基準シンボルを含まない場合、ｅＮＢ２は、まず第１のデータブロックに基準シンボルを追加した後に第１のデータブロックを送信することができ、ＲＳ１が第１のデータブロックを受信後にＭＴ０からＲＳ１へのチャネル状態を推定できるようにする。
【００４９】
ＭＴ０がＧＰ／２だけ早い時間にアップリンク・データを送信し終えた後に空いた状態になる時間周波数リソースに、ＲＳ１が第１のデータブロックを受信できるように、第８のサブフレームから切り取られた第１のデータブロックは、特定のタイムスロット内で送信されるべきであることに注意されたい。
【００５０】
次いでステップＳ２６において、ＲＳ１は、ＭＴ０がＧＰ／２だけ早い時間にアップリンク・データを送信し終えた後に空いた状態になる時間周波数リソースに第１のデータブロックを受信する。その後、２つのデータブロックの部分がマージされて、ｅＮＢ２からの第８のサブフレームになる。
【００５１】
図５に示すように、第８のサブフレーム中の第１のデータブロックは、ＭＴ０からＲＳ１までの周波数帯域を使用してＲＳ１に送信されるので、ＲＳ１は、ｅＮＢ２から第８のサブフレームをすでに受信し終えた後に第９のサブフレームをＭＴ０に送信し始めるので、ＲＳ１の第８のサブフレームの受信と第９のサブフレームの送信が、干渉を起こすことはない。
【００５２】
実施形態３
この実施形態は、ｅＮＢ２およびＲＳ１がＧＰＳの同期の下にあって、ＲＳ１がｅＮＢ２から第８のサブフレームを受信し終えた後に、ＭＴ０に第９のサブフレームを送信するというシナリオ用である。またこの実施形態では、ｅＮＢ２とＲＳ１との間のデータ伝送で占有される周波数帯域は、ＭＴ０とＲＳ１との間のデータ伝送によって占有される周波数帯域と同じものである。
【００５３】
図７は、本発明の第３の実施形態により、ｅＮＢおよびＲＳがＧＰＳの同期の下にあるとき、データ伝送のためにＧＰのリソースを占有することによって干渉を解消するフレーム構造の概略図を示す。
【００５４】
図８は、本発明の第３の実施形態により、ｅＮＢおよびＲＳがＧＰＳの同期の下にあるとき、データ伝送のためにＧＰのリソースを占有することによって干渉を解消する方法のフローチャートを示す。
【００５５】
図７では、第５のサブフレームはダウンリンク・サブフレームであり、第６のサブフレームは特別なサブフレームであり、第７のサブフレームはアップリンク・サブフレームであり、第８のサブフレームはアップリンク・サブフレームであり、第９のサブフレームはダウンリンク・サブフレームである。ここでは、第６のサブフレーム中のＤｗ（ＤｗＰＴＳ）は、ダウンリンクの同期タイムスロットであり、Ｇ（ＧＰ）はガード期間であり、Ｕｐ（ＵｐＰＴＳ）はアップリンクの同期タイムスロットである。
【００５６】
図７に示すように、この実施形態では、第８のサブフレームは「盗用されるＵＬ」であり、ダウンリンク・サブフレームとして採用されると仮定する。すなわち、ｅＮＢ２は、第８のサブフレームをＲＳ１に送信し、ＲＳ１は第８のサブフレームをｅＮＢ２から受信し終えた後に第９のサブフレームをＭＴ０に送信する。
【００５７】
ｅＮＢ２からＲＳ１へのデータ伝送には伝送遅延があるので、ＲＳ１はｅＮＢ２から第８のサブフレームの受信を完了しないまま、ＭＴ０へ第９のサブフレームを送信する準備をする。これに基づいて、ｅＮＢ２は、前もって特定のサブフレーム（第６のサブフレーム）のＧＰ内で第８のサブフレームのデータの一部を送信し、元来の時間周波数リソースをさらに使用して第８のサブフレームの残りのデータを送信する。このようにして、ＲＳ１はまさに、ｅＮＢ２から第８のサブフレームを受信し終えた後に、第９のサブフレームをＭＴ０に送信し始める。
【００５８】
具体的には、ステップＳ３１において、ｅＮＢ２は、特定のサブフレームのＧＰ内でｅＮＢ２からＲＳ１までの周波数帯域によって第８のサブフレーム中のＧＰ／２の時間長に対応する第１のデータブロックをＲＳ１に送信する。
【００５９】
したがって、ｅＮＢ２からＲＳ１までの伝送遅延を考慮し、ステップＳ３２においてＲＳ１は、ＧＰの特定のタイムスロット内でｅＮＢ２から第１のデータブロックを受信する。
【００６０】
好ましくは、図７に示すように、ＲＳ１は、ＧＰの開始時間からＧＰ／４後にｅＮＢ２から第１のデータブロックを受信し始め、ＧＰの終了時間のＧＰ／４前にｅＮＢ２から第１のデータブロックを受信し終える。
【００６１】
これに基づいて、ｅＮＢ２からＲＳ１のＧＰ／２の伝送遅延を考慮し、ＲＳ１がＧＰの特定のタイムスロット内でｅＮＢ２から第１のデータブロックを受信できるようにするために、ｅＮＢ２は、ＤｗＰＴＳタイムスロットの最後のＧＰ／４にＲＳ１への第１のデータブロックを送信し始めるべきである。
【００６２】
通常、ＤｗＰＴＳタイムスロット内で送信されるダウンリンク同期信号は、ｅＮＢ２からＲＳ１へのダウンリンク・データ伝送に占有される周波数帯域とは異なり、非常に狭い周波数帯域を占有するにすぎず、したがって、ｅＮＢ２がＤｗＰＴＳタイムスロットの最後のＧＰ／４からＲＳ１へ第１のデータブロックを送信し始めても、干渉を起こすことはなく、そこでｅＮＢ２はＤｗＰＴＳタイムスロット内でダウンリンク同期信号を送信することに注意されたい。
【００６３】
正確には、ＲＳ１はＧＰの開始時間に、ｅＮＢ２から第１のデータブロックを受信し始めることもでき、それに応じてｅＮＢ２は、ＧＰの開始時間のＧＰ／２前に、第１のデータブロックをＲＳ１に送信し始める必要がある。
【００６４】
実施形態４
この実施形態は、ｅＮＢ２およびＲＳ１がＡＩの同期の下にあって、ＲＳ１がＭＴ０から第２のサブフレームを受信し終えた後に、ｅＮＢ２に第３のサブフレームを送信するというシナリオ用である。またこの実施形態では、ｅＮＢ２とＲＳ１との間のデータ伝送で占有される周波数帯域は、ＭＴ０とＲＳ１との間のデータ伝送によって占有される周波数帯域とは異なる。
【００６５】
図９は、本発明の第４の実施形態により、ｅＮＢおよびＲＳがＡＩの同期の下にあるとき、ＧＰの長さを縮小することによって干渉を解消するフレーム構造の概略図を示す。
【００６６】
図１０は、本発明の第４の実施形態により、ｅＮＢおよびＲＳがＡＩの同期の下にあるとき、ＧＰの長さを縮小することによって干渉を解消する方法のフローチャートを示す。
【００６７】
簡略化するために、ｅＮＢ２とＲＳ１との間のデータ伝送に使用される周波数帯域は、ｅＮＢ２からＲＳ１までの周波数帯域と呼び、ＭＴ０とＲＳ１との間のデータ伝送に使用される周波数帯域は、ＭＴ０からＲＳ１までの周波数帯域と呼ぶ。
【００６８】
ｅＮＢ２およびＲＳ１はＡＩの同期の下にあるので、図２を参照すると、第８のサブフレームと第９のサブフレームとの間に干渉はないが、第３のサブフレームと第４のサブフレームとの間の干渉はより大きい。
【００６９】
実施形態１と同様に、ＭＴ０がランダム・アクセスを行うとき、ＭＴ０はまず、ＵｐＰＴＳタイムスロットでアップリンク同期コードをＲＳ１に送信する。ＲＳ１がＭＴ０からアップリンク同期コードを受信した後、ＲＳ１はステップＳ４１においてアップリンク・タイミング・アドバンス・シグナリングをＭＴ０に送信する。ここでは、アップリンク・タイミング・アドバンス・シグナリングは、タイミング・アドバンスの情報を含み、本発明ではタイミング・アドバンスの情報は、元来のタイミング・アドバンスにＧＰ／２タイミング・アドバンスを加えたものに等しい。次いでステップＳ４２において、ＭＴ０はＲＳ１からアップリンク・タイミング・アドバンス・シグナリングを受信し、ＭＴ０は、アップリンク・タイミング・アドバンス・シグナリングに含まれるタイミング・アドバンスの情報により、ＲＳ１とのアップリンク同期を達成するためにアップリンク・サブフレームをいつ送信すべきかを知ることができる。
【００７０】
ＲＳ１は、ステップＳ４３において元来のタイミング・アドバンスにＧＰ／２タイミング・アドバンスを加えるので、ＭＴ０は第２のサブフレーム（すなわち、ＭＴ０からＲＳ１へのアップリンク・サブフレーム）を元来の送信時間よりもＧＰ／２だけ早くＲＳ１に送信する。
【００７１】
次いで、ステップＳ４４では、ＲＳ１が、元来の受信時間よりもＧＰ／２だけ早く、ＭＴ０から第２のサブフレームを受信し始める。ＭＴ０はＧＰ／２だけ早くＲＳ１への第２のサブフレームを送信し始めるので、ＲＳ１は、ＧＰ／２だけ早い時間にＭＴ０から第２のサブフレームを受信し終える。ＲＳ１はＧＰ／２だけ早い時間に第２のサブフレームを受信し終えるので、それに応じてＲＳ１は、ＧＰ／２だけ早い時間にｅＮＢ２へ第３のサブフレーム（すなわち、ＲＳ１からｅＮＢ２へのアップリンク・サブフレーム）を送信し始める。
【００７２】
ＭＴ０はＧＰ／２だけ早い時間にＲＳ１へアップリンク・データを送信し終えるので、アップリンク・データを送信するためのＭＴ０の時間・周波数リソースの一部は空いた状態になる。
【００７３】
これに基づいて、ステップＳ４５においてＲＳ１は、ＭＴ０がＧＰ／２だけ早い時間にアップリンク・データを送信し終えた後に空いた状態になる時間周波数リソースに、第３のサブフレーム中のＧＰ／２の時間長に対応する第１のデータブロックをｅＮＢ２に送信し、同時に、ＲＳ１からｅＮＢ２までの周波数帯域でＧＰ／２だけ早い時間に第３のサブフレーム中の残りの第２のデータブロックをｅＮＢ２に送信する。
【００７４】
次いで、ステップＳ４６では、ｅＮＢ２がＭＴ０からＲＳ１までの周波数帯域でＲＳ１から第１のデータブロックを受信し、ＲＳ１からｅＮＢ２までの周波数帯域でＲＳ１から第２のデータブロックを受信する。
【００７５】
ｅＮＢ２が異なる周波数帯域に第１のデータブロックおよび第２のデータブロックを受信した後、２つのデータブロックの部分はマージされて、ＲＳ１からの第３のサブフレームになる。
【００７６】
変形では、ｅＮＢ２とＲＳ１との間のデータ伝送で占有される周波数帯域が、ＭＴ０とＲＳ１との間のデータ伝送で占有される周波数帯域と同じである場合、ＲＳ１は、ＭＴ０がＧＰ／２だけ早い時間にアップリンク・データ送信し終えた後に空いた状態になる時間周波数リソースを使用するだけで第１のデータブロックを送信することができる。これに基づいて、ＰがＲＳ１からｅＮＢ２への伝送の遅延時間であるとき、ＲＳ１によってｅＮＢ２に送信される第３のサブフレーム中の（２Ｐ−ＧＰ／２）時間長のデータブロックが廃棄される。ＲＳ１からｅＮＢ２への伝送の遅延時間がＧＰ／２である場合、ＲＳ１によってｅＮＢ２に送信される第３のサブフレーム中のＧＰ／２時間長のデータブロックが廃棄される。
【００７７】
以上、本発明の技術的解決法について、方法の態様から説明したが、以下は、本発明の技術的解決法について、デバイス・モジュールの態様からさらに説明する。
【００７８】
実施形態５
この実施形態は、ｅＮＢ２およびＲＳ１がＧＰＳの同期の下にあって、ＲＳ１がＭＴ０から第２のサブフレームを受信し終えた後に、ｅＮＢ２に第３のサブフレームを送信するというシナリオ用である。
【００７９】
図１１は、本発明の第５の実施形態により、ｅＮＢおよびＲＳがＧＰＳの同期の下にあるとき、ＧＰの長さを縮小することによって干渉を解消するシステム構造のブロック図を示す。図１１には、ＭＴ０、ｅＮＢ２、およびＲＳ１の中の干渉解消装置１１が示されており、この干渉解消装置１１は、第１の送信手段１１１と、第１の受信手段１１２と、第２の送信手段１１３とを含む。
【００８０】
この実施形態では、図３の内容をここで合わせて参照する。
【００８１】
図３では、第０のサブフレームはダウンリンク・サブフレームであり、第１のサブフレームは特別なサブフレームであり、第２のサブフレームはアップリンク・サブフレームであり、第３のサブフレームはアップリンク・サブフレームであり、第４のサブフレームはダウンリンク・サブフレームである。ここでは、第２のサブフレーム中のＤｗ（ＤｗＰＴＳ）は、ダウンリンクの同期タイムスロットであり、Ｇ（ＧＰ）はガード期間であり、Ｕｐ（ＵｐＰＴＳ）はアップリンクの同期タイムスロットである。
【００８２】
図２を図３と比較すると、この実施形態では、ＲＳ１のＧＰをｅＮＢ２のＧＰの半分に縮小することによって、ｅＮＢ３は、ＲＳから第３のサブフレームを完全に受信し終えた後に、第４のサブフレームを送信し始めることができることを、理解することができる。
【００８３】
ＭＴ０が起動後、まずセルとのダウンリンク同期が確立されるべきであり、その後アップリンク同期を確立し始めることができる。ＭＴ０がダウンリンク同期をどのように確立するかは従来の技術であり、当業者には理解されるはずであるので、簡略化するために詳細に説明しない。
【００８４】
本発明では、ＭＴ０がＲＳ１とのアップリンク同期を確立するプロセスは、従来技術のものと同様であり、唯一の違いは、ＭＴ０がアップリンク同期コードをＲＳ１に送信後に、ＲＳ１によってＭＴ０へフィードバックされるアップリンク・タイミング・アドバンス・シグナリングに含まれるタイミング・アドバンスの情報が変わること、すなわち、ＲＳ１が元来のタイミング・アドバンスに、元来のＧＰ／２タイミング・アドバンスを加えることである。すなわち、ＭＴ０がアップリンク・サブフレームを送信し始める時は、元来のタイミング・アドバンスで示される時よりもＧＰ／２だけ早くなる。
【００８５】
具体的には、ＭＴ０がランダム・アクセスを行うとき、ＭＴ０はまず、ＵｐＰＴＳタイムスロットでＲＳ１にアップリンク同期コードを送信する。ＲＳ１がＭＴ０からアップリンク同期コードを受信した後、ＲＳ１の干渉解消装置１１の中の第１の送信手段１１１が、ＭＴ０にアップリンク・タイミング・アドバンス・シグナリングを送信する。この中の、アップリンク・タイミング・アドバンス・シグナリングは、タイミング・アドバンスの情報を含み、本発明では、タイミング・アドバンスの情報は、元来のタイミング・アドバンスにＧＰ／２タイミング・アドバンスを加えたものに等しい。次いで、ＭＴ０がＲＳ１からアップリンク・タイミング・アドバンス・シグナリングを受信し、ＭＴ０は、アップリンク・タイミング・アドバンス・シグナリングに含まれるタイミング・アドバンスの情報により、ＲＳ１とアップリンク同期を達成するためにいつアップリンク・サブフレームを送信すべきかを知ることができる。
【００８６】
ＲＳ１は、元来のタイミング・アドバンスにＧＰ／２タイミング・アドバンスを加えるので、ＭＴ０は第２のサブフレーム（すなわち、ＭＴ０からＲＳ１へのアップリンク・サブフレーム）を第２のサブフレームの元来の送信時間よりもＧＰ／２だけ早くＲＳ１に送信する。
【００８７】
ＲＳ１の干渉解消装置１１の中の第１の受信手段１１２が、元来の受信時間よりもＧＰ／２だけ早く、ＭＴ０から第２のサブフレームを受信し始める。ＭＴ０はＧＰ／２だけ早くＲＳ１へ第２のサブフレームを送信し始めるので、ＲＳ１の第１の受信手段１１２は、ＧＰ／２だけ早い時間にＭＴ０から第２のサブフレームを受信し終える。
【００８８】
ＲＳ１の第１の受信手段１１２は、ＧＰ／２だけ早い時間に第２のサブフレームを受信し終えるので、それに応じてＲＳ１の干渉解消装置１１の中の第２の送信手段１１３は、ＧＰ／２だけ早い時間にｅＮＢ２へ第３のサブフレーム（すなわち、ＲＳ１からｅＮＢ２へのアップリンク・サブフレーム）を送信し始める。
【００８９】
その後、ｅＮＢ２はＲＳ１から第３のサブフレームを受信する。
【００９０】
ＲＳ１からｅＮＢ２への伝送遅延がＧＰ／２であることを考慮して、ＲＳ１の第２の送信手段１１３は、元来の送信時間よりもＧＰ／２だけ早く第３のサブフレームを送信し、したがって、図３に示すように、ｅＮＢ２は、ＲＳ１から第３のサブフレームを完全に受信し終えた後、ＲＳ１へ第４のサブフレームを送信し始め、したがって、ｅＮＢ２の第３のサブフレームの受信および第４のサブフレームの送信は、干渉を起こすことはない。
【００９１】
正確には、ＲＳ１がｅＮＢ２に第３のサブフレームを送信しながら、ＲＳ１は他の周波数帯域を使用してＭＴ０にダウンリンク・データを送信することもできる。
【００９２】
実施形態６
この実施形態は、ｅＮＢ２およびＲＳ１がＧＰＳの同期の下にあって、ＲＳ１がｅＮＢ２から第８のサブフレームを受信し終えた後に、ＭＴ０に第９のサブフレームを送信するシナリオ用である。またこの実施形態では、ｅＮＢ２とＲＳ１との間のデータ伝送で占有される周波数帯域は、ＭＴ０とＲＳ１との間のデータ伝送によって占有される周波数帯域とは異なる。
【００９３】
図１２は、本発明の第６の実施形態により、ｅＮＢおよびＲＳがＧＰＳの同期の下にあるとき、ＧＰの長さを縮小することによって干渉を解消するシステム構造のブロック図を示す。ＭＴ０、ＲＳ１の干渉解消装置１２、およびｅＮＢ２の干渉解消支援装置２２が図１２に示してあり、この干渉解消支援装置１２は、第３の送信手段１２１、第２の受信手段１２２、および第３の受信手段１２３を含み、干渉解消支援装置２２は、第６の送信手段２２１を含む。
【００９４】
この実施形態では、図５の内容をここで合わせて参照する。
【００９５】
簡略化するために、ｅＮＢ２とＲＳ１との間のデータ伝送に使用される周波数帯域は、ｅＮＢ２からＲＳ１までの周波数帯域と呼び、ＭＴ０とＲＳ１との間のデータ伝送に使用される周波数帯域は、ＭＴ０からＲＳ１までの周波数帯域と呼ぶ。
【００９６】
実施形態５と同様に、ＭＴ０が、ＲＳ１の干渉解消装置１２の中の第３の送信手段１２１からアップリンク・タイミング・アドバンス・シグナリングを受信した後、ＭＴ０は、ＧＰ／２だけ早い時間にＭＴ０からＲＳ１までの周波数帯域（図５では
【００９７】
【数３】
0005357984.tif 000004
で示す）でアップリンク・データをＲＳ１に送信する。ＭＴ０はＧＰ／２だけ早い時間にＲＳ１にアップリンク・データを送信するので、それにしたがって、ＲＳ１の干渉解消装置１２の中の第２の受信手段１２２は、ＧＰ／２だけ早い時間にＭＴ０からＲＳ１までの周波数帯域でＭＴ０からアップリンク・データを受信する。
【００９８】
同時に、ＭＴ０はＧＰ／２だけ早い時間にＲＳ１へアップリンク・データを送信し終えるので、アップリンク・データを送信するためのＭＴ０の時間・周波数リソースの一部は空いた状態になる。
【００９９】
時間・周波数リソースのこの部分が空いた状態になるので、ｅＮＢ２の干渉解消支援装置２２の中の第６の送信手段２２１は、ＭＴ０からＲＳ１までの周波数帯域で第８のサブフレーム中のＧＰ／２時間長に対応する第１のデータブロックをＲＳ１に送信し、ｅＮＢ２からＲＳ１までの周波数帯域（図５では
【０１００】
【数４】
0005357984.tif 000005
で示す）で第８のサブフレーム中の残りの第２のデータブロックをＲＳ１に送信する。
【０１０１】
好ましくは、第８のサブフレームから切り取られた第１のデータブロックは基準シンボルを含み、したがってＲＳ１は、第１のデータブロックを受信した後に、ＭＴ０からＲＳ１までのチャネル状態を推定することができる。正確には、第８のサブフレームから切り取られた第１のデータブロックは、基準シンボルを含まない場合、ｅＮＢ２の第６の送信手段２２１は、まず基準シンボルを第１のデータブロックに加えた後に、第１のデータブロックを送信することができ、したがってＲＳ１は、第１のデータブロックを受信した後にＭＴ０からＲＳ１までのチャネル状態を推定することができる。
【０１０２】
ＭＴ０がＧＰ／２だけ早い時間にアップリンク・データを送信し終えた後に空いた状態になる時間周波数リソースに、ＲＳ１が第１のデータブロックをちょうど受信できるように、第８のサブフレームから切り取られた第１のデータブロックは、特定のタイムスロット内に送信されるべきであることに注意されたい。
【０１０３】
次いで、ＲＳ１の干渉解消装置１２の中の第３の受信手段１２３は、ＭＴ０がＧＰ／２だけ早い時間にアップリンク・データを送信し終えた後に空いた状態になる時間周波数リソースに第１のデータブロックを受信し、ｅＮＢ２からＲＳ１までの周波数帯域で第２のデータブロックを受信する。その後、２つのデータブロックの部分がマージされて、ｅＮＢ２からの第８のサブフレームになる。
【０１０４】
第８のサブフレーム中の第１のデータブロックは、図５に示すように、ＭＴ０からＲＳ１までの周波数帯域を使用してＲＳ１に送信されるので、ＲＳ１は、ｅＮＢ２から第８のサブフレームを受信し終えた後に、ＭＴ０に第９のサブフレームを送信し始め、したがってＲＳ１の第８のサブフレームの受信と第９のサブフレームの送信が干渉を起こすことはない。
【０１０５】
実施形態７
この実施形態は、ｅＮＢ２およびＲＳ１がＧＰＳの同期の下にあって、ＲＳ１がｅＮＢ２から第８のサブフレームを受信し終えた後に、ＭＴ０に第９のサブフレームを送信するシナリオ用である。またこの実施形態では、ｅＮＢ２とＲＳ１との間のデータ伝送で占有される周波数帯域は、ＭＴ０とＲＳ１との間のデータ伝送によって占有される周波数帯域と同じものである。
【０１０６】
図１３は、本発明の第７の実施形態により、ｅＮＢおよびＲＳがＧＰＳの同期の下にあるとき、データ伝送のためにＧＰのリソースを占有することによって干渉を解消するシステム構造のブロック図を示す。ＲＳ１の干渉解消装置１３およびｅＮＢ２の干渉解消支援装置２３が図１３に示してあり、干渉解消装置１３は第４の受信手段１３１を含み、干渉解消支援装置２３は第７の送信手段２３１を含む。
【０１０７】
この実施形態では、図７の内容をここで合わせて参照する。
【０１０８】
図７では、第５のサブフレームはダウンリンク・サブフレームであり、第６のサブフレームは特別なサブフレームであり、第７のサブフレームはアップリンク・サブフレームであり、第８のサブフレームはアップリンク・サブフレームであり、第９のサブフレームはダウンリンク・サブフレームである。ここでは、第６のサブフレーム中のＤｗ（ＤｗＰＴＳ）は、ダウンリンクの同期タイムスロットであり、Ｇ（ＧＰ）はガード期間であり、Ｕｐ（ＵｐＰＴＳ）はアップリンクの同期タイムスロットである。
【０１０９】
図７に示すように、この実施形態では、第８のサブフレームが、「盗用されるＵＬ」であり、ダウンリンク・サブフレームとして採用されると仮定する。すなわち、ｅＮＢ２は、第８のサブフレームをＲＳ１に送信し、ＲＳ１は第８のサブフレームをｅＮＢ２から受信し終えた後に第９のサブフレームをＭＴ０に送信する。
【０１１０】
ｅＮＢ２からＲＳ１へのデータ伝送には伝送遅延があるので、ＲＳ１はｅＮＢ２から第８のサブフレームを受信し終えないまま、ＭＴ０へ第９のサブフレームを送信する準備をする。これに基づいて、ｅＮＢ２は、前もって特定のサブフレーム（第６のサブフレーム）のＧＰ内で第８のサブフレームのデータの一部を送信し、元来の時間周波数リソースをやはり使用することによって第８のサブフレームの残りのデータを送信する。このように、ＲＳ１は、ｅＮＢ２から第８のサブフレームを受信し終えた後に、第９のサブフレームをＭＴ０に送信し始める。
【０１１１】
具体的には、ｅＮＢ２の干渉解消支援装置２３の中の第７の送信手段２３１は、特定のサブフレームのＧＰ内でｅＮＢ２からＲＳ１間での周波数帯域によって第８のサブフレーム中のＧＰ／２時間長に対応する第１のデータブロックをＲＳ１に送信する。
【０１１２】
したがって、ｅＮＢ２からＲＳ１までの伝送遅延を考慮して、ＲＳ１の干渉解消装置１３の中の第４の受信手段１３１は、ＧＰの特定のタイムスロット内でｅＮＢ２から第１のデータブロックを受信する。
【０１１３】
好ましくは、図７に示すように、ＲＳ１の第４の受信手段１３１は、ＧＰの開始時間からＧＰ／４後にｅＮＢ２から第１のデータブロックを受信し始め、ＧＰの終了時間のＧＰ／４前にｅＮＢ２から第１のデータブロックを受信し終える。
【０１１４】
これに基づいて、ｅＮＢ２からＲＳ１までのＧＰ／２の伝送遅延を考慮して、ＲＳ１の第４の受信手段１３１がＧＰの特定のタイムスロット内でｅＮＢ２から第１のデータブロックを受信できるように、ｅＮＢ２の第７の送信手段２３１は、ＤｗＰＴＳタイムスロットの最後のＧＰ／４でＲＳ１に第１のデータブロックを送信し始めるべきである。
【０１１５】
通常、ＤｗＰＴＳタイムスロット内で送信されるダウンリンク同期信号は、ｅＮＢ２からＲＳ１へのダウンリンク・データ伝送に占有される周波数帯域とは異なり、非常に狭い周波数帯域を占有するにすぎず、したがって、ｅＮＢ２がＤｗＰＴＳタイムスロットの最後のＧＰ／４からＲＳ１へ第１のデータブロックを送信し始めても、ｅＮＢ２はＤｗＰＴＳタイムスロット内でダウンリンク同期信号を送信するので、干渉を起こさないことに注意されたい。
【０１１６】
正確には、ＲＳ１は、ＧＰの開始時にｅＮＢ２から第１のデータブロックを受信し始めることもでき、したがってｅＮＢ２は、ＧＰの開始時前のＧＰ／２に、ＲＳ１に第１のデータブロックを送信し始める必要がある。
【０１１７】
実施形態８
この実施形態は、ｅＮＢ２およびＲＳ１がＡＩの同期の下にあって、ＲＳ１がＭＴ０から第２のサブフレームを受信し終えた後に、ｅＮＢ２に第３のサブフレームを送信するというシナリオ用である。またこの実施形態では、ｅＮＢ２とＲＳ１との間のデータ伝送で占有される周波数帯域は、ＭＴ０とＲＳ１との間のデータ伝送によって占有される周波数帯域とは異なる。
【０１１８】
図１４は、本発明の第８の実施形態により、ｅＮＢおよびＲＳがＡＩの同期の下にあるとき、ＧＰの長さを縮小することによって干渉を解消するシステム構造のブロック図を示す。ＭＴ０、ＲＳ１の干渉解消装置１４、およびｅＮＢ２の干渉解消支援装置２４が図１４に示してあり、この干渉解消装置１４は、第４の送信手段１４１、第５の受信手段１４２、および第５の送信手段１４３を含み、干渉解消支援装置２４は、第６の受信手段２４１を含む。
【０１１９】
この実施形態では、図９の内容を、ここで合わせ参照する。
【０１２０】
簡略化するために、ｅＮＢ２とＲＳ１との間のデータ伝送に使用される周波数帯域は、ｅＮＢ２からＲＳ１までの周波数帯域と呼び、ＭＴ０とＲＳ１との間のデータ伝送に使用される周波数帯域は、ＭＴ０からＲＳ１までの周波数帯域と呼ぶ。
【０１２１】
ｅＮＢ２およびＲＳ１はＡＩの同期の下にあるので、図２を参照すると、第８のサブフレームと第９のサブフレームとの間に干渉はないが、第３のサブフレームと第４のサブフレームとの間の干渉はより大きい。
【０１２２】
実施形態５と同様に、ＭＴ０がランダム・アクセスを行うとき、ＭＴ０はまず、ＵｐＰＴＳタイムスロットでＲＳ１にアップリンク同期コードを送信する。ＲＳ１がＭＴ０からアップリンク同期コードを受信した後、ＲＳ１の干渉解消装置１４の中の第４の送信手段１４１が、ＭＴ０にアップリンク・タイミング・アドバンス・シグナリングを送信する。ここでは、アップリンク・タイミング・アドバンス・シグナリングは、タイミング・アドバンス情報を含み、本発明では、タイミング・アドバンスの情報は、元来のタイミング・アドバンスにＧＰ／２タイミング・アドバンスを加えたものに等しい。次いで、ＭＴ０がＲＳ１からアップリンク・タイミング・アドバンス・シグナリングを受信し、ＭＴ０は、アップリンク・タイミング・アドバンス・シグナリングに含まれるタイミング・アドバンスの情報により、ＲＳ１とアップリンク同期を達成するためにいつアップリンク・サブフレームを送信すべきかを知ることができる。
【０１２３】
ＲＳ１は、元来のタイミング・アドバンスにＧＰ／２タイミング・アドバンスを加えるので、ＭＴ０は第２のサブフレーム（すなわち、ＭＴ０からＲＳ１へのアップリンク・サブフレーム）を元来の送信時間よりもＧＰ／２だけ早くＲＳ１に送信する。
【０１２４】
ＲＳ１の干渉解消装置１４の中の第５の受信手段１４２が、元来の時間よりもＧＰ／２だけ早く、ＭＴ０から第２のサブフレームを受信し始める。ＭＴ０はＧＰ／２だけ早くＲＳ１へ第２のサブフレームを送信し始めるので、ＲＳ１の第５の受信手段１４２は、ＧＰ／２だけ早い時間にＭＴ０から第２のサブフレームを受信し終える。ＲＳ１の第５の受信手段１４２は、ＧＰ／２だけ早い時間に第２のサブフレームを受信し終えるので、それに応じてＲＳ１の干渉解消装置１４の中の第５の送信手段１４３は、ＧＰ／２だけ早い時間にｅＮＢ２へ第３のサブフレーム（すなわち、ＲＳ１からｅＮＢ２へのアップリンク・サブフレーム）を送信し始める。
【０１２５】
ＭＴ０はＧＰ／２だけ早い時間にＲＳ１へアップリンク・データを送信し終えるので、アップリンク・データを送信するためのＭＴ０の時間・周波数リソースの一部は空いた状態になる。
【０１２６】
これに基づいて、ＲＳ１の干渉解消装置１４の中の第５の送信手段１４３は、ＭＴ０がＧＰ／２だけ早い時間にアップリンク・データを送信し終えた後に空いた状態になる時間周波数リソースに、第３のサブフレーム中のＧＰ／２時間長に対応する第１のデータブロックをｅＮＢ２に送信し、同時に、ＲＳ１からｅＮＢ２までの周波数帯域でＧＰ／２だけ早い時間に第３のサブフレーム中の残りの第２のデータブロックをｅＮＢ２に送信する。
【０１２７】
ｅＮＢ２の干渉解消支援装置２４の中の第６の受信手段２４１は、ＭＴ０からＲＳ１までの周波数帯域でＲＳ１から第１のデータブロックを受信し、ＲＳ１からｅＮＢ２までの周波数帯域でＲＳ１から第２のデータブロックを受信する。
【０１２８】
ｅＮＢ２が異なる周波数帯域で第１のデータブロックおよび第２のデータブロックを受信した後、２つのデータブロックの部分がマージされて、ＲＳ１からの第３のサブフレームになる。
【０１２９】
変形では、ｅＮＢ２とＲＳ１との間のデータ伝送で占有される周波数帯域が、ＭＴ０とＲＳ１との間のデータ伝送で占有される周波数帯域と同じである場合、ＲＳ１は、ＭＴ０がＧＰ／２だけ早い時間にアップリンク・データ送信し終えた後に空いた状態になる時間周波数リソースを使用するだけで第１のデータブロックを送信することができる。これに基づいて、ＰがＲＳ１からｅＮＢ２への伝送の遅延時間であるとき、ＲＳ１によってｅＮＢ２へ送信される第３のサブフレーム中の（２Ｐ−ＧＰ／２）時間長のデータブロックが廃棄される。ＲＳ１からｅＮＢ２への伝送の遅延時間がＧＰ／２である場合、ＲＳ１によってｅＮＢ２に送信される第３のサブフレーム中のＧＰ／２時間長のデータブロックが廃棄される。
【０１３０】
以上、本発明の詳細な実施形態について説明しているが、本発明は、前述の特定の実施形態に限定されず、当業者であれば添付の特許請求の範囲の範囲内で、あらゆる種類の変形形態または変更形態を作成することができると理解する必要がある。
【図１】
0005357984.tif 000006
【図２】
0005357984.tif 000007
【図３】
0005357984.tif 000008
【図７】
0005357984.tif 000009
【図９】
0005357984.tif 000010
【図１１】
0005357984.tif 000011
【図１２】
0005357984.tif 000012
【図１３】
0005357984.tif 000013
【図１４】
0005357984.tif 000014
【図４】
0005357984.tif 000015
【図５】
0005357984.tif 000016
【図６】
0005357984.tif 000017
【図８】
0005357984.tif 000018
【図１０】
0005357984.tif 000019